(57)【要約】【課題】簡単な構成でありながら移動の自由度の大きい屈曲自在なアームを備え、かつアームの先端に取り付けた物品を所要位置へ移動する操作も容易かつ円滑に行うことのできる新規なフレキシブルスタンドＡを得る。【解決手段】固定具１と、屈曲自在なアームＢと、屈曲自在なアームＢの自由端側に取り付けられた物品保持具２５とを少なくとも備えるフレキシブルスタンドＡにおいて、屈曲自在なアームＡは、弾性復元力の異なる第１の板状長尺部材（例えばアルミ板）１１と第２の板状長尺部材（例えばバネ鋼）１２とを積層した積層体１０と、積層体を被覆する被覆部材２０とを備える。各部材は全体を屈曲したときに相互の間で滑りが生じる状態で互いに接しており、かつ一端側には各部材の相対的移動を阻止する固定部２３が形成される。【選択図】図１
2007278496.tif 000002
【特許請求の範囲】
【請求項１】
他の部材への固定具と、前記固定具に一端側が支持された屈曲自在なアームと、前記屈曲自在なアームの他端側に取り付けられた物品とを少なくとも備えるフレキシブルスタンドであって、
前記屈曲自在なアームは、弾性復元力の異なる第１の板状長尺部材と第２の板状長尺部材とを少なくとも２層に積層した積層体と、前記積層体を被覆する被覆部材とを備え、前記各部材は全体を屈曲したときに相互の間で滑りが生じる状態で互いに接しており、かつ一端側には各部材の相対的移動を阻止する固定部が形成されている構成であり、
前記屈曲自在なアームの前記固定部が形成された端部側が前記固定具に支持されていることを特徴とするフレキシブルスタンド。
【請求項２】
前記屈曲自在なアームとして、前記積層体を構成する第２の板状長尺部材はバネ鋼である鋼板であり、第１の板状長尺部材は前記第２の板状長尺部材よりも弾性復元力が小さい材料である屈曲自在なアームを用いることを特徴とする請求項１に記載のフレキシブルスタンド。
【請求項３】
屈曲自在なアームとして、前記第１の板状長尺部材が、アルミ板、鉛板または樹脂板のいずれかである屈曲自在なアームを用いることを特徴とする請求項２に記載のフレキシブルスタンド。
【請求項４】
屈曲自在なアームとして、前記各部材の間の少なくとも１つに樹脂シートをさらに介装した構成の屈曲自在なアームを用いることを特徴とする請求項１ないし３のいずれかに記載のフレキシブルスタンド。
【発明の詳細な説明】
【技術分野】
【０００１】
本発明は屈曲自在なアームを持つフレキシブルスタンドに関する。
【背景技術】
【０００２】
他の部材への固定具と、前記固定具に一端側が支持された屈曲自在なアームと、前記屈曲自在なアームの他端側に取り付けられた物品とを少なくとも備えるフレキシブルスタンドは知られている。そのようなスタンドの代表例として、特許文献１に記載されるような多関節型のアームを備えたスタンドと、特許文献２に図示されるような多数の金属環を屈曲自在に接続した形式のアームを備えたスタンドが挙げられる。この形態のスタンドは、アームの先端に装着した物品をアームが移動できる範囲内にほぼ移動させることができ、移動後にその位置に物品をほぼ安定して保持することができる。
【０００３】
【特許文献１】特開２０００−２４９８２
【特許文献２】特開平８−１５００５８
【発明の開示】
【発明が解決しようとする課題】
【０００４】
上記したスタンドにおいて、屈曲自在なアームとして多関節型のアームを用いるものは、アームの構成が複雑であることに加え、移動の自由度にも制限がある。また、関節が機械的構成であることから、移動の容易性と位置保持機能とは相反するものとなり、移動の容易性を優先させると、先端の物品を所要位置に移動した後、その位置に物品を保持しておくことは困難となり、時間の経過と共に位置ずれが生じやすい。位置ずれを起こさないようにするためには、別途、移動後に関節を固定する等の操作を必要とする。また、金属環を屈曲自在に接続した形式のアームを用いたスタンドも、前記多関節型のアームを用いたスタンドとほぼ同様な不都合を持つ。
【０００５】
本発明は、上記のような事情に鑑みてなされたものであり、簡単な構成でありながら移動の自由度の大きい屈曲自在なアームを備え、かつアームの先端に取り付けた物品を所要位置へ移動する操作も容易かつ円滑に行うことのできる、新規なフレキシブルスタンドを提供することを第１の目的とする。また、移動した先において大きな位置ずれが生じず、かつその位置を長時間維持することのできる、新規なフレキシブルスタンドを提供することを第２の目的とする。
【課題を解決するための手段】
【０００６】
本発明によるフレキシブルスタンドは、他の部材への固定具と、前記固定具に一端側が支持された屈曲自在なアームと、前記屈曲自在なアームの他端側に取り付けられた物品とを少なくとも備えるフレキシブルスタンドであって、前記屈曲自在なアームは、弾性復元力の異なる第１の板状長尺部材と第２の板状長尺部材とを少なくとも２層に積層した積層体と、前記積層体を被覆する被覆部材とを備え、前記各部材は全体を屈曲したときに相互の間で滑りが生じる状態で互いに接しており、かつ一端側には各部材の相対的移動を阻止する固定部が形成されている構成であり、前記屈曲自在なアームの前記固定部が形成された端部側が前記固定具に支持されていることを特徴とする。
【０００７】
本発明によるフレキシブルスタンドは、上記のように、相互の間で滑りが生じる状態で互い積層した層構造の板状長尺部材を基本構成に持つ屈曲自在なアームを備えており、従来知られた多関節型のアームあるいは多数の金属環を屈曲自在に接続した形式のアームを備えたスタンドと比較して、アームの構成が大きく簡素化される。また、上記屈曲自在なアームの構成は、いわゆる自在定規に類似した構成であり、高い曲げの自在度と操作の容易性が得られる。さらに、本発明者らの実験では、一端側に各部材の相対的移動を阻止することのできる固定部を形成したことにより、アームの他端側（自由端側）に取り付けた物品の位置設定をした後に、手を離しても、その後その物品に位置ずれが生じるのを効果的に阻止することができた。
【０００８】
特に、上記屈曲自在なアームは、弾性復元力の異なる第１の板状長尺部材と第２の板状長尺部材とを少なくとも２層に積層した積層体と、前記積層体を被覆する被覆部材とを備えており、アームの他端側（自由端側）に取り付ける物品の荷重に応じて、第１と第２の板状長尺部材の材料を適宜選択することにより、およびまたは前記被覆部材の材料を適宜選択することにより、さらには板状長尺部材の積層枚数を適宜選択することにより、その物品に適したフレキシブルスタンドとすることができる。また、材料の選択を適切に行うことにより、アームが屈曲したときに各部材間に生じる摩擦力を調整することが可能となり、アームの先端側を移動して所望の位置に物品をセットした後、その位置に長い時間にわたって物品を保持しておくことも可能となる。
【０００９】
なお、前記屈曲自在なアームにおける、前記被覆部材は各部材間の密着性を確保するとともに、屈曲自在なアームの外観形状を整える。被覆部材は、適度の柔軟性と強靱性を備えた材料であることが望ましく、ポリ塩化ビニルやシリコン樹脂のような合成樹脂材料が望ましい。中でも、シリコン樹脂材料は好適である。前記積層体と被覆部材との間に大きな隙間があると、各部材間の摩擦力が低減して、アームの先端側を移動して所望の位置に物品をセットした後に、変位（位置ずれ）しやすくなるので、そのような隙間が生じない内寸法の被覆部材を選定する。被覆部材の外形は任意であり、積層体の外形に沿った形状に限らず、用途によって、角形、円形などを選択してもよい。
【００１０】
前記屈曲自在なアームの前記固定部は、各部材の相対的移動を阻止できることを条件に任意の手段で形成することができる。接着剤による貼着固定、止めピンを差し込んだ後にかしめることによる固定などが例として挙げられる。
【００１１】
本発明によるフレキシブルスタンドの一形態において、前記屈曲自在なアームとして、前記積層体を構成する第２の板状長尺部材はバネ鋼である鋼板であり、第１の板状長尺部材は前記第２の板状長尺部材よりも弾性復元力が小さい材料である屈曲自在なアームを用いる。この場合、第２の板状長尺部材であるバネ鋼は、屈曲自在なアームの耐荷重性を主に担保する機能を果たすので、使用時に屈曲自在なアームの自由端側に取り付ける物品の加重を考慮して、実験的に最適な弾性復元力を持つバネ鋼を第２の板状長尺部材として選択する。この場合、第２の板状長尺部材は、前記第１の板状長尺部材が、反復して円滑に屈曲しまた元に位置に戻る動きを助ける機能も果たす。
【００１２】
なお、上記のフレキシブルスタンドにおいて、前記屈曲自在なアームは、自由端に取り付ける物品の重さによって自然変形しないだけの曲げ強度を持つことは必要であるが、一方において、第２の板状長尺部材であるバネ鋼が過度に大きい弾性復元力を持つ場合には、多くの場合、屈曲自在なアームが自己復元性（すなわち、外力を開放したときに弾性により元の姿勢に戻ること）を持つようになり、位置決めができなくなる。自己復元性が生じない範囲の弾性復元力を備えたバネ鋼を第２の板状長尺部材として選択することが必要となる。
【００１３】
上記の屈曲自在なアームにおいて、前記第１の板状長尺部材は任意であり特に制限はない。例として、アルミ板、鉛板、樹脂板等を挙げることができる。樹脂板の具体例としては、ポリエチレン系樹脂を１軸方向に延伸して分子配列を制御した長尺状の樹脂材料（例えば、積水化学工業株式会社製、商品名「フォルテ」）が挙げられる。なかでも、所定範囲の曲率半径で屈曲（湾曲）させた後に手を離してもその湾曲した姿勢をほぼそのまま維持することのできる材料、すなわち、弾性復元力が零に近いかきわめて小さい材料は好ましく、このような材料を適切な大きな弾性復元力を持つバネ鋼（第２の板状長尺部材）とともに用いることにより、屈曲自在なアームに所要の屈曲の自在性が与えられ、フレキシブルスタンドとしての操作性はきわめて良好となる。また、前記したように、アームの先端側を移動して所望の位置に物品をセットした後、物品をその位置に長い時間にわたって保持しておくことも可能となる。なお、本発明者の実験によれば、前記第１の板状長尺部材の材料として、アルミ板が最も好適であった。
【００１４】
前記屈曲自在なアームにおける前記積層体の積層構造に限定はない。例として、第２の板状長尺部材、第１の板状長尺部材、第２の板状長尺部材、第１の板状長尺部材および第２の板状長尺部材とがこの順で積層した５層構成、あるいは、第２の板状長尺部材、第１の板状長尺部材および第２の板状長尺部材とがこの順で積層した３層構成、等を挙げることができる。１枚の第１の板状長尺部材と１枚の第２の板状長尺部材の２層構成であってもよい。
【００１５】
本発明によるフレキシブルスタンドに用いる屈曲自在なアームにおいて、必要に応じて、各部材間に、樹脂シートをさらに介装してもよい。それにより各層間の滑りが良好となり、位置決め操作が容易となる。ただし、層間の滑りが良すぎると第２の板状長尺部材としてバネ鋼を用いる場合に、第２の板状長尺部材の復元力が勝ってしまい、位置セット後に位置ずれが生じやすくなることがあるので、そのような場合には、樹脂シートは介装しないようにする。
【００１６】
本発明によるフレキシブルスタンドに用いる屈曲自在なアームにおいて、前記他の部材への固定具は、フレキシブルスタンドを安定的に他の部材に配置するためのものであり、締め付け具を持つクランプのような手段であってもよく、所要の底面積を持つ単なる支持盤等であってもよい。クランプを備えた固定具を採用する場合には、フレキシブルスタンドを壁や天井に取り付けることもできる。他の部材への固定具に対する屈曲自在なアームの支持態様は任意であり、一体的に固定された支持態様であってもよく、分離自在に固定された支持態様であってもよい。
【００１７】
本発明によるフレキシブルスタンドは多くの技術分野で用いることができる。使用する分野に応じて、屈曲自在なアームの他端側に取り付ける物品も適宜選択される。例えば、照明器具や鏡あるいは液晶ディスプレイ等が例として挙げられる。適宜の物品を取り付けるための取り付け具も、アームの他端側に取り付けられる物品の範疇である。フレキシブルスタンドの具体的な例としては、例えば、ラット、マウス等の実験動物の搾乳時に使用するためのミルキングスタンド、水素イオン濃度（ｐＨ）測定用のガラス電極スタンド等を含む各種の実験機器用のフレキシブルスタンド、医療用具用のフレキシブルスタンド等が挙げられる。
【発明の効果】
【００１８】
本発明によれば、簡単な構成でありながら移動の自由度の大きい屈曲自在なアームを備え、かつアームの先端に取り付けた物品を所要位置へ移動する操作も容易かつ円滑に行うことのできる、新規なフレキシブルスタンドが得られる。また、構成部材を適宜選択することにより、アームの先端に取り付けた物品を所要位置へ移動した後に、大きな位置ずれが生じず、かつその位置を長時間維持することのできる、新規なフレキシブルスタンドが得られる。
【発明を実施するための最良の形態】
【００１９】
以下、図面を参照しながら、本発明を実施の形態に基づき説明する。図１は本発明によるフレキシブルスタンドの一例を示している。図２は図１に示すフレキシブルスタンドで用いる屈曲自在なアームの一例を示しており、図２ａは全体の斜視図、図２ｂは図２ａのｂ−ｂ線での断面図、図２ｃは正面図である。図３は図２に示す屈曲自在なアームの層構造を説明するための模式図であり、図４は屈曲自在なアームの他の層構造を説明するための模式図である。
【００２０】
図１は、本発明によるフレキシブルスタンドＡの一実施の形態を示しており、ここではフレキシブルスタンドＡをｐＨ電極スタンドとして使用している。フレキシブルスタンドＡは、支持盤１に支柱２が立てられ、支柱２に対して屈曲自在なアームＢの一端部側が固定されている。この支持盤１および支柱２は本発明にいう「他の部材への固定具」の一例に相当する。
【００２１】
この例において、屈曲自在なアームＢの自由端側は支柱２から離れて自由に移動できるようになっており、その先端に取り付けた物品保持具２５のＵ字クリップ２６にｐＨ電極ホルダー３が装着され、ｐＨ電極ホルダー３にはｐＨ電極４が取り付けられている。この物品保持具２５およびＵ字クリップ２６は本発明にいう「屈曲自在なアームの他端側に取り付けられた物品」の一例に相当する。
【００２２】
図示の例で、屈曲自在なアームＢは半径ｒの弧を描くようにして湾曲され、屈曲自在なアームＢの自由端側に取り付けたｐＨ電極４の下端側は、支持盤１にセットしたビーカー５内に入り込んでいる。６はｐＨ電極コードであり、支柱２の先端に取り付けたｐＨ電極コードホルダー７を介して、測定機器側に接続している。特に図示しないが、支持盤１に屈曲自在なアームＢを直接取り付け、その自由端側に照明器具や鏡のような物品を取り付けて、フレキシブルスタンドＡとすることもできる。
【００２３】
前記屈曲自在なアームＢを図２〜図４を参照しながら詳細に説明する。屈曲自在なアームＢは、基本的に、長尺状の積層体１０と該積層体１０を外側から被覆する被覆部材２０とで構成される。前記長尺状の積層体１０は、例えばアルミ板である屈曲自在であり屈曲後その姿勢をほぼ維持することのできる、すなわち復元弾性力の小さい材料からなる第１の板状長尺部材１１と、第１の板状長尺部材１１に沿って配置される、第１の板状長尺部材が持つ復元弾性力よりも大きな復元弾性力である材料からなる第２の板状長尺部材、この例ではバネ鋼である鋼板からなる第２の板状長尺部材１２とからなる。
【００２４】
図示の例において、長尺状の積層体１０は、第２の板状長尺部材１２ａ＋第１の板状長尺部材１１ａ＋第２の板状長尺部材１２ｂ＋第１の板状長尺部材１１ｂ＋第２の板状長尺部材１２ｃとからなる５層構造であり、互いに密接しているが全体を屈曲させたときに相互間で滑りが生じうる状態で積層されている。限定されるものではないが、この例では、第１の板状長尺部材１１の断面寸法はいずれも厚さ１．５ｍｍ×幅５ｍｍであり、バネ鋼である第２の板状長尺部材１２の断面寸法はいずれも厚さ０．２ｍｍ×幅５ｍｍである。
【００２５】
被覆部材２０はシリコン樹脂のような樹脂材料で作られており、断面矩形状であり、内部に前記積層体１０が隙間のない状態で入り込むことのできる空間２１を有している。
【００２６】
図３ａに模式的に示すように、被覆部材２０の内部空間２１内に前記積層体１０が挿入されて屈曲自在なアームＢとされており、その一方端（図で左方の端部）には工業用接着剤２２が注入され、接着剤２２が硬化することにより、第１と第２の長尺部材１１、１２および被覆部材２０とが相互の間に相対的移動が生じないように一体に固定された固定部２３となっている。固定部２３以外の箇所では、前記したように、第１と第２の長尺部材１１、１２および被覆部材２０は相互の密接面間で滑りが可能であり、屈曲自在なアームＢが屈曲したときに生じる第１と第２の長尺部材１１、１２の長手方向の変化は、その他方端（図で右方の端部）である自由端側で吸収される。なお、図３ａでは、図示の関係で、固定部２２を除く他の領域では各部材の間に隙間があるように描いてあるが、実際の製品では、間に隙間が形成されないように被覆部材２０によって圧接されている。
【００２７】
図３ｂは屈曲自在なアームＢの固定部２３の他の構成を示す模式図であり、ここでは、さらに止めピン２４が固定部２３に挿通され、端部をかしめることによって、各部材の一体化をより強固にしている。
【００２８】
前記したように、屈曲自在なアームＢの自由端には好ましくは樹脂材料で作られる物品保持具２５が取り付けてある。物品保持具２５は上側面にＵ字クリップ２６を有しており、位置決めしようとする物品を屈曲自在なアームＢに取り付けるのを容易にしている。
【００２９】
図１に示すように、上記の屈曲自在なアームＢを半径ｒの弧を描くように湾曲することにより、前記固定部２３を除いた他の部分では各部材は長手方向の変位が生じる。その変位は、固定部２３を除いた他の部分では各部材間に滑りが生じることから、自由端側で吸収されることとなり、図示のように、自由端では段差が生じる。
【００３０】
ところで、ｐＨ電極スタンドでは、被測定溶液を含むビーカー５に対するｐＨ電極４の先端の位置決めと位置決め後の位置保持が重要となる。本発明者の実験では、上記した屈曲自在なアームＢを用いたとき、ｐＨ電極４の先端を前後左右、上下、傾斜等自由自在に移動することができ、そのように移動して所定位置に位置決めした後は、手を離しても、その位置に長い時間留まっていることを確認した。
【００３１】
比較のために、一方端に接着剤２２を注入しない点でのみ相違する屈曲自在なアームＢを用いて、同じ装置（ｐＨ電極スタンド）を組み立て、ｐＨ電極４の先端の移動と位置決めを行ったところ、移動の自由度は良好であったが、所定位置に位置決めした後に、手を離したところ、ｐＨ電極４の先端側に無視できない移動が生じ、適切なｐＨ測定を行うことができなかった。これは、固定部２３を有しないことから、積層体１０の両端が自由端となったためと推測される。
【００３２】
第１の板状長尺部材１１として、アルミ板に替えて、断面が厚さ１．５ｍｍ×幅５ｍｍである鉛板を用いて上記と同様な屈曲自在なアームＢを作り、フレキシブルスタンドＡとしたところ、操作の容易性と位置決めの安定性が、ともにアルミ板の場合と同様なフレキシブルスタンドＡが得られた。
【００３３】
アルミ板に替えて、１軸方向に延伸したポリエチレン樹脂シート（積水化学工業株式会社製、商品名「フォルテ」）をほぼ同じ断面形状となるように積層して形成した第１の板状長尺部材１１を用いて、上記と同様な屈曲自在なアームＢを作りフレキシブルスタンドＡとして上記と同じ実験を行った。この場合、１軸延伸材であることから左右の移動はアルミ板と比較して不自由であったが、上下および前後の移動はアルミ板とほぼ同様であり、所望位置にｐＨ電極４の先端を位置決めすることができた、しかし、所定位置に位置決めした後に、手を離したところ、ｐＨ電極４の先端側にわずかな移動が生じた。しかし、ｐＨ測定ができなくするような移動量ではなく、十分に実用に耐えるものであった。
【００３４】
図４は、本発明によるフレキシブルスタンドＡで使用する他の形態の屈曲自在なアームＢ１における積層体１０の積層構造を示している。ここでは、第１と第２の板状長尺部材１１、１２との層間にポリ塩化ビニルのような樹脂シート１６を挟持させている点で、上記した屈曲自在なアームＢと異なっている。このように樹脂シート１６を層間に挟持することにより、層間の滑りが良好となり、位置決め操作がさらに容易となる。ただし、前記したように、層間の滑りが良すぎるとバネ鋼である第２の板状長尺部材１２の復元力が勝ってしまい、位置セット後に位置ずれが生じやすくなる場合がある。そのようなときには、樹脂シート１６を挟持することは好ましくない。
【００３５】
上記の例では、本発明によるフレキシブルスタンドＡに取り付ける物品をｐＨ電極としたが、物品がｐＨ電極に限らないことはもちろんであり、フラスコやルーペなどを取り付けることもできる。その他、正確な位置決めを必要とする実験機器、医療用具、照明器具等を取り付けるためのフレキシブルスタンドとしても、本発明によるフレキシブルスタンドは効果的に利用できる。その場合、その物品の重さや求められる位置決めの正確度等に応じて、第１と第２の板状長尺部材１１，１２の材料種、枚数や寸法を変えることにより、それぞれの目的に応じた最適のフレキシブルスタンドが得られる。
【００３６】
［実験例］
上記した構成の屈曲自在なアームＢが、長い時間にわたってほぼ同じ曲がった姿勢を維持できることを検証すべく、実験を行った。実験は、図２，図３に示す５層形態の屈曲自在なアームＢを第１の板状長尺部材１１の種類のみを替えて２種類用意した。屈曲自在なアームＢの全長は２７０ｍｍ，第２の板状長尺部材１２は断面寸法が厚さ０．２ｍｍ×幅５ｍｍであるバネ鋼、また、被覆部材２０はシリコン樹脂製であり、内寸法５．２ｍｍ×５．２ｍｍ、肉厚１ｍｍである。一端部２３を工場用接着剤で固定した。第１の板状長尺部材１１は、１つの屈曲自在なアームＢａは断面寸法が厚さ１．５ｍｍ×幅５ｍｍであるアルミ板、もう一つの屈曲自在なアームＢｂは断面寸法が厚さ１．５ｍｍ×幅５ｍｍである鉛板とした。
【００３７】
屈曲自在なアームＢａ、Ｂｂの両端を手で持ち、端部同士が接触するまでＵ字状に湾曲させた。それを水平面に敷き詰めたコピー用紙の上に置き、手を離して負荷を開放した後の、両端間の開き距離（ｍｍ）を経時的に測定した。試験はそれぞれについて３回行った。その結果を表１に示す。
【００３８】
【表１】
2007278496.tif 000003
【００３９】
［評価］
アルミ板と鉛板（第１の板状長尺部材１１）の弾性復元力はバネ鋼である鋼板（第２の板状長尺部材１２）と比較して小さく、また、アルミ板と鉛板の弾性復元力は異なっている。そのために、負荷を開放して１分後の開き距離は、屈曲自在なアームＢａ（アルミ板）と屈曲自在なアームＢｂ（鉛板）とで異なっているが、双方とも、所定時間経過後に開き距離はほぼ不変の状態となることがわかる。
【００４０】
すなわち、屈曲自在なアームＢａ（アルミ板）では、負荷を開放した直後の開き距離が６０分経過後にも維持されており、屈曲自在なアームＢｂ（鉛板）では、負荷を開放して２０分程度は開き距離に変化が見られるが、それ以降は変化が見られない。
【００４１】
負荷開放直後の開きはいわゆるスプリングバックによるものであり、屈曲自在なアームを通常の実使用で現れる湾曲度以上に湾曲させた結果生じたものである。いずれの屈曲自在なアームにおいても、その後において、開き距離が不変となった状態が長時間維持されており、負荷に応じて、各材料と寸法を適宜選択することにより、操作が容易でありかつ負荷解放後にアームの自由端側の移動を規制することのできるフレキシブルスタンドが得られることがわかる。
【図面の簡単な説明】
【００４２】
【図１】本発明によるフレキシブルスタンドの一形態を説明する図。
【図２】図２ａは本発明によるフレキシブルスタンドで用いる屈曲自在なアームの一形態を示す全体の斜視図であり、図２ｂは図２ａのｂ−ｂ線での断面図、図２ｃは正面図。
【図３】図２に示す屈曲自在なアームの層構造を説明するための模式図。
【図４】本発明によるフレキシブルスタンドで用いる他の形態の屈曲自在なアームにおける積層体の積層構造を説明する図。
【符号の説明】
【００４３】
Ａ…フレキシブルスタンド、Ｂ，Ｂ１…屈曲自在なアーム、１…支持盤、２…支柱、３…ｐＨ電極ホルダー、４…ｐＨ電極、５…ビーカー、６…ｐＨ電極コード、１６…樹脂シート、１０…長尺状の積層体、１１…第１の板状長尺部材、１２…第２の板状長尺部材、２０…被覆部材、２１…被覆部材の内部空間、２２…接着剤、２３…屈曲自在なアームの固定部、２４…止めピン、２５…物品保持具、２６…Ｕ字クリップ
【図１】
2007278496.tif 000004
【図２】
2007278496.tif 000005
【図３】
2007278496.tif 000006
【図４】
2007278496.tif 000007